(57)【要約】【課題】  より低コストで製造することができ、宝石をより目立たせることができるファセットカット宝石取付用チェーン状装身具を提供することにある。【解決手段】  平面視においてほぼ円形の開口部１２ｂを有する容器形状を呈し、周壁１２は開口部１２ｂへ連続しかつ当該開口部に向かって拡大する円錐状部を含み、前記開口部１２ｂヘ分散するように複数の宝石押え爪１３が形成された多数の宝石保持器１と、宝石保持器１相互を連鎖状に連結する多数の連結片２とを備えたことを最も主用な特徴とする。【選択図】      図３
2007029664.tif 000002
【特許請求の範囲】
【請求項１】
平面視においてほぼ円形の開口部（１２ｂ）を有する容器形状を呈し、周壁（１２）は開口部（１２ｂ）へ連続しかつ当該開口部（１２ｂ）に向かって拡大する円錐状部を含み、前記開口部（１２ｂ）ヘ分散するように複数の宝石押え爪（１３）が形成された多数の宝石保持器（１）と、宝石保持器（１）相互を連鎖状に連結する多数の連結片（２）とを備えた、ファセットカット宝石取付用チェーン状装身具。
【請求項２】
前記宝石保持器（１）は、その周壁（１２）全体が開口部に向かって拡大する円錐状部である、請求項１に記載のファセットカット宝石取付用チェーン状装身具。
【請求項３】
平面視においてほぼ円形の開口部（１２ｂ）を有する容器形状を呈し、縦断面において円弧状を呈するお碗形状に形成され、開口部（１２ｂ）ヘ分散するように複数の宝石押え爪（１３）が形成された多数の宝石保持器（１）と、宝石保持器（１）相互を連鎖状に連結する多数の連結片（２）とを備えた、ファセットカット宝石取付用チェーン状装身具。
【請求項４】
前記各宝石保持器（１）は、外周縁へ分散するように複数の宝石押え爪（１３）が形成され、１８０°の角度間隔で外周縁から中心方向へ延びかつ中心方向の先端部へ拡大した孔形成部（１０ａ）を有するスリット（１０ｂ）が形成された板金（１ａ）を、プレス成形により全体が前記容器形状を呈しかつ前記各スリット部（１０ｂ）の孔形成部（１０ａ）が対の連結孔（１０）を形成するように成形することにより構成され、
前記各連結片（２）は幅の狭い主部の両端部両側に抜け止め片（２０，２０）が突出した金属板からなり、
隣接する宝石保持器（１）相互は、前記連結片（２）の対応する抜け止め片（２０，２０）が当該宝石保持器（１）の内周面における連結孔（１０）の両側部へ係止される状態で連鎖状に連結されている、請求項１〜３のいずれかに記載のファセットカット宝石取付用チェーン状装身具。
【請求項５】
前記各連結片（２）の端部の両抜け止め片（２０，２０）は、前記宝石保持器（１）の内周面と対応する部分が先端方向に向かって徐々に拡大する状態に形成されている、請求項４に記載のファセットカット宝石取付用チェーン状装身具。
【請求項６】
前記各宝石保持器（１）の開口部（１２ｂ）には、所定の角度間隔で外周方向から当該宝石保持器（１）の内側方向へ僅かに突入する宝石受部（１５）が形成されている、請求項１〜５のいずれかに記載のファセットカット宝石取付用チェーン状装身具。
【請求項７】
前記各宝石押え爪（１３）の内側には当該宝石保持器（１）の底部から同じレベル位置に宝石受部（１５）を構成する段部が形成されている、請求項１〜５のいずれかに記載のファセットカット宝石取付用チェーン状装身具。
【発明の詳細な説明】
【技術分野】
【０００１】
本発明は、ファセットカットされた宝石を取り付けるためのチェーン状装身具に関するものである。
【背景技術】
【０００２】
ファセットカット宝石を取り付けるためのチェーン状装身具は、宝石を保持するための多数の宝石保持器と、宝石保持器相互を連鎖状に連結するための連結片とから構成され、各宝石保持器へ宝石を取り付け、チェーン状の両端部を連結金具により環状になるように連結し、例えばネックレス，ブレスレット，ピアス，イヤリングなどの装身具として使用される。
この種のチェーン状装身具は、前述のように多数の宝石保持器にそれぞれ宝石を保持させるので、多くの需要者に購入してもらうためには価格の面からサイズの大きい宝石を使用することができない。例えば、ダイヤモンドを使用して大衆向けのネックレスを製造する場合、ダイヤモンドのサイズは最大限直径３ｍｍ程度であり、好ましくは直径２．０ｍｍ以下のダイヤモンドを使用する。
したがって、銀，プラチナ，金その他の貴金属で加工される宝石保持器や連結片も非常に小さくかつ製造コストの面から加工性のよい構造とする必要がある一方、宝石をできるだけ目立たせる必要があるので、宝石保持器を含むチェーン状装身具には構造上種々の工夫がなされている。
【０００３】
小型であってかつダイヤモンドの保持状態を安定的かつ確実にするため、例えば図１３及び図１４で示すようなファセットカット宝石取付用チェーン状装身具が提案されている（後記特許文献１参照）。
図１３はチェーン状装身具の部分縦断面図、図１４は図１３のチェーン状装身具のネックレスとしての使用状態を示す部分正断面図である。符号４は円形の開口部を有する円筒状の容器形状を呈するように加工された宝石保持器であり、隣合う宝石保持器４相互は平面視においてＨ状を呈する連結片５により連鎖状の連結されている。
各宝石保持器４には、周壁の下部へ直径方向に一対の連結孔４０が形成されており、図１３のように、隣合う宝石保持器４，４の連結孔４０，４０へ連結片５を通し、当該連結片５の両端部両側に突出した抜け止め片５０，５０が対応する宝石保持器４の内周面における連結孔４０の両側部へ係止される状態で宝石保持器１相互を連結している。
宝石保持器４相互を図１３の状態に連結するには、宝石保持具４を平たくした状態の板金をプレスにより有底円筒状の容器形状に成形する前に、連結片５を図示の状態に配置してからプレス成形を行う。
【０００４】
６は断面凹円弧状の主部と末広がりで断面円弧状の鍔部とを有する鍔付きハット形状の宝石受具である。この宝石受具６を宝石保持器４内ヘ堅個に挿入し、ファセットカットされた宝石３のキューレット部（パビリオンの頂点部）が宝石受具６の主部内に収容され、かつ鍔部の基部にパビリオンが接する状態に宝石３を宝石受具６内へ配置する。そして、宝石保持器４の開口部へ分散するように形成された各宝石押え爪４１を内側へ曲げ加工することにより、宝石３のクラウンのファセット部を押え、宝石３を宝石保持器４内へ保持させている。
以上の構成により、それぞれ宝石を保持した多数の宝石保持器４が連鎖状に連結されたチェーン状装身具は、環状に連結して例えばネックレスとして使用する場合、各宝石３のクラウンが正面を向き、上部の首に掛けられた部分と下部の垂れ下がった部分では、各宝石保持器４と連結片５の端部とが関節のように作動して図１４で示すように全体が円弧状を呈するように屈折する。すなわち、例えば装身具が垂れ下がった部分では、重力により、一つの宝石保持器４の連結孔４０，４０の中心を結ぶ線に対して直角な線ｙと、当該宝石保持器４とそれに隣接する宝石保持器４の相互の中心を結ぶ線ｙ’とが形成する９０°未満の屈折角θによって、垂れ下がり部分の全体はほぼ円弧状を呈する。
前記宝石受具６は、宝石３を安定的に確実に宝石保持器４内へ取り付けるためと、宝石保持器４の下部内周領域に連結片５の各抜け止め片５０の十分な作動空間を形成するために設けられたものである。すなわち、例えば宝石保持器６の底部中心に受孔を形成し、この受孔に宝石のキューレット部を案内し、当該宝石を宝石保持器の開口部へ形成した押え爪で底部方向へ押える構造を採用する（後記特許文献１図１参照）と、宝石保持器の下部内周領域が狭小となり、連結片の両端部の十分な作動空間が得られない。
【特許文献１】特開２００４−８４２５号公報
【特許文献２】特許第３２６８４９３号（特開平１０−２４９４７２号）公報
【０００５】
図１３のチェーン状装身具は、前述のように宝石３を安定かつ確実に保持するためと、連結片５の両端部の作動空間を十分に確保するため、前記形状の宝石受具６を宝石保持器４ヘ挿入したものであるが、小さなサイズの宝石保持器４内へさらに小サイズの宝石受具６を挿入するので、材料費が嵩むばかりでなく加工費が嵩でんでコスト高になる問題があった。
すなわち、宝石３を図１３の状態に保持させるには、宝石保持器４，宝石３及び宝石受具６との三部材の寸法合わせが必要であり、これらは非常に小サイズであるから金型設計や加工の費用が嵩む。また、宝石受具６を宝石保持器４内へ挿入する工程を要するのでそのコストも必要になる。
また、例えば前記宝石受具６を省略してコストの低減を図るため、宝石３を受けるための受部を宝石保持器４の開口部へ内側方向にやや突入するようにプレス成形によって形成しようとすると、雄金型を抜くとき（叉は成形後の宝石保持器を雄金型から抜くとき）に、内側方向ヘ突入した受部が邪魔になって金型が抜けず、結果として受部を成形することができない。
さらに、身体への着用中の装身具を真正面よりややそれた位置から見た場合に宝石保持器４が目立ち易く、それだけ視覚的に宝石３の存在感が相対的に小さくなる。
【発明の開示】
【発明が解決しようとする課題】
【０００６】
本発明の解決課題は、この種のチェーン状装身具の加工コストの低減にあり、その目的は、より低コストで製造することができるファセットカット宝石取付用チェーン状装身具を提供することにある。
本発明の他の目的は、宝石をより目立たせることができる宝石取付用チェーン状装身具を提供することにある。
【課題を解決するための手段】
【０００７】
本発明に係るファセットカット宝石取付用チェーン状装身具は、前記の課題を解決するため以下のように構成したものである。
すなわち、その第１のチェーン状装身具は、平面視においてほぼ円形の開口部１２ｂを有する容器形状を呈し、周壁１２は開口部１２ｂへ連続しかつ当該開口部１２ｂに向かって拡大する円錐状部を含み、前記開口部１２ｂヘ分散するように複数の宝石押え爪１３が形成された多数の宝石保持器１と、宝石保持器１相互を連鎖状に連結する多数の連結片２とを備えたことを最も主用な特徴としている。
前記宝石保持器１は、その周壁全体が開口部１２ｂに向かって拡大する円錐状部であるのが加工上望ましい。
【０００８】
本発明に係る第２のチェーン状装身具は、平面視においてほぼ円形の開口部１２ｂを有する容器形状を呈し、縦断面において円弧状を呈するお碗形状に形成され、開口部１２ｂヘ分散するように複数の宝石押え爪１３が形成された多数の宝石保持器１と、宝石保持器１相互を連鎖状に連結する多数の連結片２とを備えたことを最も主用な特徴としている。
【発明の効果】
【０００９】
本発明に係る第１のチェーン状装身具によれば、宝石保持器１は、平面視においてほぼ円形の開口部１２ｂを有する容器形状を呈し、周壁は開口部１２ｂへ連続しかつ当該開口部に向かって拡大する円錐状部を含む。したがって、円錐状部の開口部１２ｂの内縁からその近傍（底部方向の近傍）の位置までの内径の範囲でファセットカット宝石３のガードル部（最大径部すなわち外縁部）の直径を設計（あるいは、開口部１２ｂの内縁からその近傍の位置までの直径を宝石３のガードル部と対応するように設計）すれば、宝石３を宝石保持器１内へ挿入した場合、当該宝石３のガードル部が前記円錐状部の開口部の内縁又は当該内縁部の近傍に掛かって止まり、この状態で宝石押え片により宝石を押えることにより、宝石受具がなくても宝石３は宝石保持器１内へ安定かつ確実に保持される。
このように、宝石受具を必要としないため、材料費及び加工費がより低廉となり、製造コストを低減させることができる。また、宝石３のガードル部のサイズに多少のバラツキがあってもそれを吸収することができる。
また、容器形状の宝石保持器１は開口部１２ｂと連続し開口部に向かって拡大する円錐状部を有するので、例えばプレス加工によって開口部１２ｂヘ内周方向へ突入する宝石受部その他の必要な部分を加工することができる。
さらに、身体への装身具の着用状態で真正面よりそれた位置から当該装身具を見た場合、宝石保持器１の底部方向の部分は外径が小さくなっているので視覚的に目立つ度合いが小さく、それだけ宝石３の目立つ度合いが相対的に大きくなる。
【００１０】
本発明に係る第２のチェーン状装身具によれば、宝石保持器１は、平面視においてほぼ円形の開口部１２ｂを有する容器形状を呈し、縦断面において円弧状を呈するお碗形状に形成されている。そして、開口部１２ｂ寄り位置の円弧状部分の内面のある程度の範囲内に納まるように宝石のガードル部の直径と保持器１のサイズとを設計すれば、前記第１のチェーン装身具と同様な状態で、宝石受具がなくても宝石保持器１内へ宝石３を安定かつ確実に保持させることができる。
その他の点についても、第２のチェーン装身具は前記第１のチェーン状装身具と同様な効果を奏する。
さらに、宝石保持器１は断面円弧状を呈するお碗形状に形成されているため、装身具全体は視覚的に温かみのある印象を与えることができるとともに、例えば宝石保持器１をプレスにより成形した場合でもダイキャストで鋳造したもののように、高級感のある印象を与えることができる。
【発明を実施するための最良の形態】
【００１１】
図１〜１２図を参照しながら、本発明に係るファセットカット宝石取付用チェーン装身具の最適実施の形態を具体的に説明する。
第１実施形態
図１〜図４は本発明に係るチェーン状装身具の第１実施形態を示す図で、図１は宝石保持器を成形する前（展開状態）の板金の平面図、図２は成形された宝石保持器を示す図で、（ａ）図は宝石保持器を成形した状態の平面図（例えば装身具を身に着けた状態では正面図）、（ｂ）図は前記（ａ）図の宝石保持器の側面図、図３（ｃ）図は第１実施形態のチェーン状装身具の部分平面図、図３（ｄ）図は（ｃ）図のチェーン状装身具の矢印Ａ−Ａに沿う断面図、図４は第１実施形態のチェーン状装身具の身体への着用状態における部分正面図である。
【００１２】
銀やプラチナ，金その他の貴金属による金属素条から打抜き成形した図１の保持器成形用の板金１ａは、中央部に孔１１ｂが形成された底板形成部１１ａの周囲に連続してそれぞれ対の周壁形成部１２ａを有し、各周壁形成部１２ａの外周縁には所定の角度間隔で分散するようにそれぞれ二個の宝石押え爪１３が形成され、宝石押え爪１３相互の間には外周に向かってＶ字状を呈する切り欠き１４ａが形成されている。
対の周壁形成部１２ａを分離するように、１８０°の角度間隔で外周縁から底板形成部１１ａに達するまで延び、かつ中心方向の先端部に拡大した孔形成部１０ａを有する孔形成用のスリット１０ｂが形成されている。
板金１ａの外周部において、スリット１０ｂの両側隅角部には先端がやや（０．１ｍｍ〜板金１ａの厚みの１／２程度）浮上した受部形成片１５ａがそれぞれ形成されている。
なお、この受部形成片１５ａは、後述のように板金１ａをプレスにより宝石保持器１を成形したとき宝石受部１５を構成するものであるが、必ずしも前記スリット１０ｂに沿った外周部に形成する必要はなく、切り欠き部１４ａのＶ字をより深く形成し、当該切り欠き部１４ａの外周部両側へ形成してもよい。また、受部形成片１５ａはスリット１０ｂや切り欠き部１４ａの外周部の両側でなく一方の側部ヘ形成しても実施することができる。
【００１３】
前記保持器成形用の板金１ａを成形金型によりプレス成形し、図２のような形態の宝石保持器１を加工する。
成形による宝石保持器１は、図２（ａ）図のように平面視においてほぼ円形の開口部１２ｂを有する容器形状を呈し、周壁１２は開口部１２ｂへ連続しかつ当該開口部１２ｂに向かって急角度（宝石保持器１のサイズによって異なるが、概ね４〜９°程度が好ましく、この実施形態では６，７°である）で拡大する円錐状部に形成される。成形により、板金１ａの各スリット部１０ｂの孔形成部１０ａは連結孔１０を形成し、スリット部１０ｂの他の部分は幅の狭いスリット１０ｂとして残り、当該スリット１０ｂの上端（開口部１２ｂ側端部）両側部には、前記受部形成片１５ａの部分が開口部１２ｂから内周方向へ僅かに突入した宝石受部１５を構成する。
開口部１２ｂと一体な各宝石押え爪１３は周壁１２とほぼ同じ角度で立上がり、開口部１２ｂには前記切り欠き１４ａに対応して一対の相対するＶ字状の凹部１４｛図３（ｂ）図｝が形成される。
なお、前記成形によりスリット部１０ｂの孔形成部１０ａ以外の部分は幅の狭いスリットとなるが、スリット１０ｂの両側が接触してスリット１０ｂが残らないように構成しても差し支えない。
宝石保持器１を前述のように成形するとき使用する金型の中、雌型は保持器１の外形形状とほぼ同様であるが、雄型（中型）は保持器１の底部内径とほぼ同径の円柱状である。
【００１４】
前記宝石保持器１相互を連鎖状に連結する各連結片２は、図３（ｃ）図のように宝石保持器１と同じ材質で前記連結孔１０よりも幅の狭い金属板からなり、両端部両側へ抜け止め片２０，２０が突出するように形成されている。
連結片２の抜け止め片２０，２０を含む端部の幅（一方の抜け止め片２０の突出端部から他方の抜け止め片２０の突出端部までの距離）は、当該連結片２の端部が宝石保持器１内で変位しても連結孔１０から外部へ脱出しない程度に当該連結孔１０の幅よりも十分に広くなっている。
宝石保持器１相互が連結された状態では、連結片２の抜け止め片２０，２０は対応する連結孔１０を経て対応する宝石保持器１内に配置され、底板１１の上面に接触し、当該連結片２が対応する連結孔１０から脱出する方向へ動く時、当該宝石保持器１の内周面における連結孔１０の両側部へ係止されることにより、当該連結片２が抜け止めされるように構成されている。
各連結片２の端部の両抜け止め片２０，２０は、連結孔１０の両側における宝石保持器１の内周面と対応する部分が、当該部分の内周面（抜け止め片２０，２０が連結孔１０の両側における宝石保持器１の内周面と抜け止め状に接触するときの当該内周面との接触面）の円弧の大きさと同じかやや大きい円弧で先端方向に向かって徐々に拡大する状態に形成されている。
【００１５】
図３（ｃ），（ｄ）図のように、連結片２により宝石保持器１相互を連結するには、図２のように一旦成形された宝石保持器１の周壁１２を図２（ｂ）図の二点鎖線で示すようにプレスにより必要量以上に拡開する。すなわち、途中まで開いた連結孔１０から、連結片２の端部の抜け止め片２０，２０を所定の姿勢で内部に差し入れることができる角度以上に周壁１２を拡開する。
次いで、途中まで開いた宝石保持器１の各連結孔１０から両連結片２の対応する抜け止め片２０，２０を宝石保持器１の内部に差し入れ、この状態で当該宝石保持器１をプレスにより図３（ｄ）図の状態に再成形する。この操作を順次行うことにより、多数の宝石保持器１を図３（ｃ），（ｄ）図で示すように連鎖状に連結する。
このように、一旦最終形態に成形した宝石保持器１を所定量拡開して連結片２の端部を宝石保持器１内へ差し入れた後、再成形することにより、最初から同様な状態に加工するよりも部材に無理な力が加わらず円滑に連結加工することができる。
【００１６】
前記のように連鎖状に連結した宝石保持器１に宝石を取り付ける（保持させる）には、図３の（ｄ）図のように宝石受部１５へファセットカットされた宝石３のパビリオン（下面）外周部を支持させ、宝石押え片１３を宝石３のファセット部（宝石３の上面であるクラウンの傾斜部）側に曲げ加工して宝石３を宝石保持器１側へ押え付ける。
【００１７】
第１実施形態のチェーン状装身具によれば、以下のような効果を奏する。
第１に、宝石保持器１の周壁１２は開口部１２ｂへ連続しかつ当該開口部１２ｂに向かって拡大する円錐状部に形成されているので、前記のように板金１ａの外周部へやや浮上がった受部形成片１５ａを形成しておき、プレス成形により前記容器形状の宝石保持器１を成形したとき、宝石受部１５が雄金型と干渉しないように各宝石受部１５を円滑に加工することができる。
したがって、図１３の装身具のように宝石受具６を使用しなくても宝石３を安定かつ確実に保持させることができるので、材料費や加工費がより低減され、より廉価なコストで製造することができる。また、宝石３のガードル部のサイズに多少のバラツキがあってもそのバラツキを吸収することができる。
【００１８】
第２に、身体への装身具の着用状態で真正面よりそれた位置から当該装身具を見た場合、宝石保持器１の底部方向の部分は外径が小さくなっているので視覚的に目立つ度合いが小さく、それだけ宝石３の目立つ度合いが相対的に大きくなる。
【００１９】
第３に、図４で示す使用状態において、チェーン状装身具の垂れ下がり部分では、重力により、宝石保持器１と連結片２の端部とが関節的な作動をして全体として円弧状を呈するが、一つの宝石保持器１の連結孔１０，１０の中心を結ぶ線に対して直角な線ｙと、当該宝石保持器１とそれに隣接する宝石保持器１との相互の中心を結ぶ線ｙ’とが形成する屈折角θがより小さくなる。したがって、チェーンにより近い視覚的感覚を与えることができる。
【００２０】
その理由を図４を参照しながら説明する。
前記屈折角θの大小は、宝石保持器１の連結孔１０の幅と連結片２の主部の幅の差に負うところが大きいが、宝石保持器１及び連結片２は小サイズであるので前記両者の差を大きくするのには限界がある。例えば、第１実施形態の装身具において、宝石保持器１，連結片２及び宝石３のサイズは実物の約２０倍（設計上のサイズは、例えば宝石保持器１の底部内径：１．３ｍｍ，開口部内径：１．６ｍｍ，周壁高さ：１．５ｍｍである。）に記載したものである。したがって、前記屈折角θをより小さくするには、他の部分の構成に配慮しなければならない。
第１実施形態のチェーン状装身具において、各連結片２の端部の両抜け止め片２０，２０は、連結孔１０の両側における宝石保持器１の内周面と対応する部分が、当該部分の内周面（抜け止め片２０，２０が連結孔１０の両側における宝石保持器１の内周面と抜け止め状に接触するときの当該内周面との接触面）の円弧の大きさと同じかやや大きい円弧で先端方向に向かって徐々に拡大する状態に形成されている。
このように構成したことにより、各宝石保持器１が下位の部材（宝石保持器１，連結片２及び宝石３。以下同じ。）の重力を受けて当該下位の部材の方向へ回動するときより円滑に回動し、その結果屈折角度θがより小さくなるのである。例えば、図１４で示す従来のチェーン状装身具は、身体への装着状態において屈折角θは平均８５°を大きく超えるが、第１実施形態のチェーン状装身具では図４で示す屈折角θは平均８５°以下（屈折角θの実際の平均は８３〜８５°）になる。
前記屈折角θの平均が大きいと身体への装着状態における垂れ下がり部分の円弧が大きくなり、身体の動きに応じて変化する円弧の大きさの変化量が小さくなり、装身具としての見栄えがそれだけ劣ることになる。また、屈折角θの平均値が大きいと身体への装着状態における垂れ下がり部の円弧をより小さくするためには、宝石保持具をより小サイズに設計して密に連結しなければならず、製造コストがそれだけ嵩むことになる。
【００２１】
第２実施形態
図５の（ｅ）図は本発明に係るチェーン状装身具の第２実施形態における宝石保持器の平面図、図５の（ｆ）図は（ｅ）図の宝石保持器の側面図、図６は図５の宝石保持器を連結片により多数連鎖状に連結したチェーン装身具の部分断面図である。
図１のように裁断した板金１ａを使用し、これをプレス成形により宝石保持器１を加工する。成形に使用する金型の中、雌金型の内部形状は宝石保持器１の外形形状とほぼ対応しているが、雄金型は先端部が球面状に形成され宝石保持器１の開口部１２ｂの内径よりも必要量小さな外形の円柱状のものである。
【００２２】
宝石保持器１は、平面視において円形の開口部１２ｂを有する容器形状を呈し、縦断面において円弧状を呈するお碗形状に形成され、開口部１２ｂヘ分散するように複数の宝石押え爪１３が形成されている。開口部１２ｂの内縁から底部方向へ僅かな（例えば０．２ｍｍ程度）垂直部が形成されているので、各宝石押え爪１３はそれぞれ直立した状態に加工される。
宝石保持器１のその他の構成や、多数の宝石保持器１を連結片２により順次連鎖状に連結する要領は第１実施形態のチェーン状装身具と同様である。
この実施形態においても、宝石保持器１へ宝石３をとり付けるとき、図６の二点鎖線で示すように宝石３のパビリオンの外周部を宝石受部１５に支持させる。
【００２３】
第２実施形態のチェーン状装身具によれば、宝石保持器１が、平面視においてほぼ円形の開口部を有する容器形状を呈し、縦断面において円弧状を呈するお碗形状に形成されているので、前記のように板金１ａの外周部へやや浮上がった受部形成片１５ａを形成しておき、プレス成形により前記容器形状の宝石保持器１を成形したとき、宝石受部１５が雄金型と干渉しないように各宝石受部１５を円滑に加工することができる。
したがって、図１３の装身具のように宝石受具６を使用しなくても宝石３を安定かつ確実に保持させることができるので、材料費や加工費がより低減され、より廉価なコストで製造することができる。また、宝石３のガードル部のサイズに多少のバラツキがあってもそのバラツキを吸収することができる。
また、宝石保持器１は断面円弧状を呈するお碗形状に形成されているため、装身具全体は視覚的に温かみのある印象を与えることができるとともに、例えば宝石保持器１をプレスにより成形した場合でもダイキャストで鋳造したもののように、高級感のある印象を与えることができる。
その他の作用・効果は第１実施形態のチェーン状装身具と同様であるのでそれらの説明は省略する。
【００２４】
第３実施形態
図７は変形した連結片を含む第３実施形態を示す図で、（ｇ）図は連結片の平面図、（ｈ）図は（ｇ）図の矢印Ｂ−Ｂに沿う断面図である。
連結片２の各抜け止め片２０を含む両端部分、すなわち成形した宝石保持器１の周壁１２を拡開｛図２の（ｂ）図｝して連結孔１０から連結片２の端部を指し込むのに必要な端部の長さ部分はフラットに形成されているが、他の部分である軸状部（主部）の中央部分は、装身具を組み立てるときに正面側へ断面凸円弧状を呈するように形成されている。
連結片２をこのように形成することにより、連結片２の強度を向上させることができるとともに、正面から見た場合に一つの丸い金属線の状態を呈するので高級感を与えることができる。
【００２５】
第４実施形態
図８及び図９は本発明に係るチェーン状装身具の第４実施形態を示す図で、図８は宝石保持器を成形する前（展開状態）の板金の半裁平面図、図９は成形された宝石保持器を示す図で、（ｉ）図は宝石保持器を成形した状態の平面図、（ｊ）図は前記（ｉ）図の矢印Ｃ−Ｃに沿う半裁断面図である。
【００２６】
図８の板金１ａには、図１の板金１ａのようにスリット１０ｂの外周縁側の両側に受部形成片１５ａは形成されていず、その代わり、各宝石押え爪１３が薄肉に形成されその上面（保持器１を成形したときに内側を向く面）基部に僅かに下がった段部１５ｂが形成されている。板金１ａの他の構成は図１の板金１ａと同様である。
板金１ａを前記のように構成するには、金属素条から板金１ａよりも平面形状がやや大きい図示しないブランク材を打抜き、当該ブランク材の宝石押え爪に相当する部分をプレスにより薄肉に加工した後、図８の形状の板金１ａをプレスにより加工する。
【００２７】
図８の板金１ａをプレス成形により第１実施形態の装身具における宝石保持器と同様に加工すると、図９で示すような宝石保持器１が形成される。
すなわち、板金１ａの各宝石押え爪１３の上面は薄肉に加工されて僅かに下がった段部１５ｂが形成されているので、プレス成形された宝石保持器１の各宝石押え爪１３の内側には、図９のように同じレベル位置に段部からなる宝石受部１５が形成される。これらの各宝石受部１５へ（ｊ）図の二点鎖線で示すように宝石３のパビリオンの外周部を支持させ、各宝石押え爪１３を内側へ曲げて宝石３のファセット部を押さえ、当該宝石３を宝石保持器１へ保持させる。
【００２８】
この実施形態の装身具においては、宝石保持器１の各宝石押え爪１３が外周方向に寄った状態で薄肉になっており、宝石３はパビリオンの外周部が保持器１の開口部１２ｂヘ連続接触状態で支持されるので、宝石３がより安定する。また、宝石押え爪１３が薄肉になった分保持器１が正面から見たとき宝石３により遮蔽されるので、保持器１が目立ち難くなりその分宝石が目立つようになる。
この実施形態の装身具の他の構成や作用効果は、第１実施形態の装身具と同様であるのでそれらの説明は省略する。
なお、図８の板金１ａをプレス成形することにより、宝石保持器１を図５の宝石保持器１と同様なお碗形状に成形することができる。
【００２９】
第５実施形態
図１０は第５実施形態のチェーン状装身具の宝石保持器１を示す断面図であり、宝石保持器１は図１の板金１ａに受部形成片１５ａを形成せずにプレス成形したもので、したがって、この宝石保持器１の開口部１２ｂには図２の宝石保持器１におけるような宝石受部１５は形成されていない。
図１０の宝石保持器１へ宝石３を保持させるには、宝石保持器１の周壁１２の開口部１２ｂの内縁の直径が、ファセットカットされた宝石３のガードル部（上方部であるクラウンと下方部であるパビリオンの境界部の最大外縁部）よりも僅かに大きくなるように宝石保持具１を設計する。
【００３０】
前記のように設計すれば、全体が円錐状部に形成された周壁１２の開口部１２ｂの内縁近傍（内縁よりも僅かに下方）が宝石受部１５となり、宝石保持器１内へ宝石３を挿入すると、宝石３はそのガードル部が前記宝石受部１５ヘ受止められる。この状態で宝石保持器１の周壁１２の外周へ当該周壁が拡大しないように金型をセットし、各宝石押え片１３を内側に曲げることにより、当該宝石押え片１３により宝石３のクラウンのテーブル（正面の平滑な部分）外周のファセット部を押えて宝石保持器１へ宝石３を保持させる。
したがって、宝石受具がなくても宝石３は宝石保持器１内へ安定かつ確実に保持されるから、材料費や加工費がより低減され、より廉価なコストで製造することができる。また、宝石３のガードル部のサイズに多少のバラツキがあってもそのバラツキを吸収することができる。
前記のように、周壁１２の開口部１２ｂの内縁部よりもやや底部寄り位置を宝石受部１１５とすることにより、宝石押え片１３を宝石保持器１の内側へ曲げるときに宝石３のファセット部を傷付けるのを防止することができる。
この実施形態のチェーン状装身具の他の構成や作用効果は、第１実施形態のものと同様であるのでそれらの説明は省略する。
【００３１】
第６実施形態
図１１は第６実施形態のチェーン状装身具の宝石保持器１を示す断面図であり、宝石保持器１は図１の板金１ａに受部形成片１５ａを形成せずに図５の宝石保持器１と同様に、全体が断面お碗形状を呈するようにプレス成形したものである。したがって、この宝石保持器１の開口部１２ｂには図５の宝石保持器１におけるような宝石受部１５は形成されていない。
宝石保持器１の開口部１２ｂの内縁よりもやや下がった部分が宝石受部１５となるように設計し、宝石３のガードル部を前記宝石受部１５へ支持させ、この状態で各宝石押え爪１３を内側へ曲げ加工することにより当該宝石３を保持器１へ保持させる。
したがって、宝石受具がなくても宝石３は宝石保持器１内へ安定かつ確実に保持されるから、材料費や加工費がより低減され、より廉価なコストで製造することができる。また、宝石３のガードル部のサイズに多少のバラツキがあってもそのバラツキを吸収することができる。
前記のように、周壁１２の開口部１２ｂの内縁部よりもやや底部寄り位置を宝石受部１５とすることにより、宝石押え片１３を宝石保持器１の内側へ曲げるときに宝石３のファセット部を傷付けるのを防止することができる。
この実施形態のチェーン状装身具の他の構成や作用効果は、第２実施形態の装身具のそれと同様であるのでそれらの説明は省略する。
【００３２】
第７実施形態
図１２は本発明に係るチェーン状装身具の第３実施形態における宝石保持器の断面図である。
宝石保持器１は、基本的には図１０の宝石保持器１とほぼ同様に形成されているが、周壁１２の一対の連結孔１０の上端より上方の部分を上方に徐々に拡大するような円錐状部に形成したものであり、開口部１２ｂの内縁部叉はその近傍を宝石受部１５となるように構成している。
この実施形態のチェーン状装身具の他の構成や作用効果は、第５実施形態のチェーン状装身具をほぼ同様であるのでそれらの説明は省略する。
【００３３】
その他の実施形態
第１実施形態及び第５実施形態のチェーン状装身具において、宝石保持器１の底板１１は下方へ凸となるような円弧状に加工することができる。
【図面の簡単な説明】
【００３４】
【図１】第１実施形態のチェーン状装身具における宝石保持器を成形する前（展開状態）の板金の平面図である。
【図２】図１の板金をプレス成形により加工した宝石保持器を示す図で、図２（ａ）図は宝石保持器の平面図、図２（ｂ）図は前記（ａ）図の宝石保持器の側面図である。
【図３】図３（ｃ）図は第１実施形態のチェーン状装身具の部分平面図、図３（ｄ）図は（ｃ）図のチェーン状装身具の矢印Ａ−Ａに沿う断面図である。
【図４】第１実施形態のチェーン状装身具の身体への着用状態における部分正面図である。
【図５】図５（ｅ）図は本発明に係るチェーン状装身具の第２実施形態における宝石保持器の平面図、図５（ｆ）図は（ｅ）図の宝石保持器の側面図である。
【図６】図５の宝石保持器を用いた第２実施形態のチェーン装身具の部分断面図である。
【図７】第３実施形態のチェーン状装身具における連結片を示す図で、（ｇ）図はその平面図、（ｈ）図は（ｇ）図の矢印Ｂ−Ｂに沿う断面図である。
【図８】第４実施形態のチェーン状装身具における宝石保持器を成形する前の板金の半裁平面図である。
【図９】図８の板金をプレス成形した宝石保持器を示す図で、（ｉ）図はその平面図、（ｊ）図は（ｉ）図の矢印Ｃ−Ｃに沿う半裁断面図である。
【図１０】第５実施形態のチェーン状装身具における宝石保持器の断面図である。
【図１１】第６実施形態のチェーン状装身具における宝石保持器の断面図である。
【図１２】第７実施形態のチェーン状装身具における宝石保持器の断面図である。
【図１３】特開２００４−８４２５号公報に記載されているチェーン状装身具の部分断面図である。
【図１４】図１３のチェーン状装身具を身に付けた状態の部分正面図である。
【符号の説明】
【００３５】
１  宝石保持器
１ａ  板金
１０  連結孔
１０ａ  孔形成部
１０ｂ  スリット
１１  底板
１１ａ  底板形成部
１２  周壁
１２ａ  周壁形成部
１２ｂ  開口部
１３  宝石押え片
１４  凹部
１４ａ  切り欠き部
１５  宝石受部
１５ａ  受部形成片
１５ｂ  段部
２  連結片
２０  抜け止め片
３  宝石
【図１】
2007029664.tif 000003
【図２】
2007029664.tif 000004
【図３】
2007029664.tif 000005
【図４】
2007029664.tif 000006
【図５】
2007029664.tif 000007
【図６】
2007029664.tif 000008
【図７】
2007029664.tif 000009
【図８】
2007029664.tif 000010
【図９】
2007029664.tif 000011
【図１０】
2007029664.tif 000012
【図１１】
2007029664.tif 000013
【図１２】
2007029664.tif 000014
【図１３】
2007029664.tif 000015
【図１４】
2007029664.tif 000016